【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
ビデオエンコーディング用の方法であって、
ピクチャ内のエンコーディングされるブロックについて、少なくとも１つの空間的隣接ブロックを判定することと、
前記エンコーディングされるブロックについて、前記少なくとも１つの空間的隣接ブロックに基づいてインターコーディングモード用のプレディクタ候補の組を判定することであって、プレディクタ候補は、１つ又は複数の制御ポイント動きベクトル及び１つの参照ピクチャを有する、判定することと、
前記エンコーディングされるブロックについて、且つ、それぞれのプレディクタ候補ごとに、モーションモデルに基づいて、且つ、前記プレディクタ候補の前記１つ又は複数の制御ポイント動きベクトルに基づいて、モーションフィールドを判定することであって、前記モーションフィールドは、前記エンコーディングされるブロックのサブブロックの予測のために使用される動きベクトルを識別している、判定することと、
それぞれのプレディクタ候補について判定された前記モーションフィールドに応答して、予測の間のレート歪判定に基づいて、前記プレディクタ候補の組から１つのプレディクタ候補を選択することと、
前記選択されたプレディクタ候補用の前記モーションフィールドに基づいて前記ブロックをエンコーディングすることと、
を有する方法。
【請求項２】
ビデオデコーディング用の方法であって、
デコーディングされるブロックについて、少なくとも１つの空間的隣接ブロックを判定することと、
前記デコーディングされるブロックについて、前記少なくとも１つの空間的隣接ブロックに基づいてインターコーディングモード用のプレディクタ候補の組を判定することであって、プレディクタ候補は、１つ又は複数の制御ポイント動きベクトル及び１つの参照ピクチャを有する、判定することと、
前記デコーディングされるブロックについて、特定のプレディクタ候補から１つ又は複数の制御ポイント動きベクトルを判定することと、
前記デコーディングされるブロックについて、モーションモデルに基づいて、且つ、前記デコーディングされるブロック用の前記１つ又は複数の制御ポイント動きベクトルに基づいて、モーションフィールドを判定することであって、前記モーションフィールドは、前記デコーディングされるブロックのサブブロックの予測のために使用される動きベクトルを識別している、判定することと、
前記判定されたモーションフィールドに基づいて前記ブロックをデコーディングすることと、
を有する方法。
【請求項３】
前記少なくとも１つの空間的隣接ブロックは、隣接上部左コーナーブロック、隣接上部右コーナーブロック、及び隣接下部左コーナーブロックのうちの、前記デコーディングされるブロックの空間的隣接ブロックを有する請求項２に記載の方法。
【請求項４】
前記空間的隣接ブロックの前記少なくとも１つのものに関連するモーション情報は、平行移動モーション情報を有する請求項２に記載の方法。
【請求項５】
前記少なくとも１つの空間的隣接ブロックのすべてに関連するモーション情報は、アファインモーション情報を有する請求項２に記載の方法。
【請求項６】
前記デコーディングされるブロックについて、インターコーディングモード用の前記プレディクタ候補の組を判定することは、
隣接上部左コーナーブロックのうちの前記デコーディングされるブロックの空間的隣接ブロックの上部左リスト、隣接上部右コーナーブロックのうちの前記デコーディングされるブロックの空間的隣接ブロックの上部右リスト、隣接下部左コーナーブロックのうちの前記デコーディングされるブロックの空間的隣接ブロックの下部左リストを判定することと、
空間的隣接ブロックの少なくとも１つのトリプレットを選択することであって、前記トリプレットのそれぞれの空間的隣接ブロックは、それぞれ、前記上部左リスト、前記上部右リスト、及び前記下部左リスト、に属しており、且つ、前記トリプレットのそれぞれの空間的隣接ブロックの予測のために使用される前記参照ピクチャは、同一である、選択することと、
前記デコーディングされるブロックについて、空間的隣接ブロックのそれぞれの選択されたトリプレットに関連するモーション情報に基づいて、前記ブロックの上部左コーナー、上部右コーナー、及び下部左コーナー用の１つ又は複数の制御ポイント動きベクトルを判定することと、
を有し、且つ、
前記プレディクタ候補は、前記判定された１つ又は複数の制御ポイント動きベクトル及び前記参照ピクチャを有する請求項２に記載の方法。
【請求項７】
前記デコーディングされるブロックについて、インターコーディングモード用の前記プレディクタ候補の組を判定することは、
隣接上部左コーナーブロックのうちの前記デコーディングされるブロックの空間的隣接ブロックの上部左リスト、隣接上部右コーナーブロックのうちの前記デコーディングされるブロックの空間的隣接ブロックのトップリストを判定することと、
空間的隣接ブロックの少なくとも１つのペアを選択することであって、前記ペアのそれぞれの空間的隣接ブロックは、それぞれ、前記上部左リスト及び前記上部右リストに属しており、且つ、前記ペアのそれぞれの空間的隣接ブロックの予測のために使用される前記参照ピクチャは、同一である、選択することと、
前記デコーディングされるブロックについて、前記上部左リストの空間的隣接ブロックに関連するモーション情報に基づいて前記ブロックの前記上部左コーナー用の制御ポイント動きベクトルを判定し、前記上部左リストの空間的隣接ブロックに関連するモーション情報に基づいて前記ブロックの前記上部左コーナー用の制御ポイント動きベクトルを判定することと、
を有し、且つ、
前記プレディクタ候補は、前記上部左及び上部右制御ポイント動きベクトル及び前記参照ピクチャを有する請求項２に記載の方法。
【請求項８】
下部左リストが前記上部右リストの代わりに使用されており、前記下部左リストは、隣接下部左コーナーブロックのうちの前記デコーディングされるブロックの空間的な隣接ブロックを有し、且つ、下部左制御ポイント動きベクトルが判定されている請求項７に記載の方法。
【請求項９】
前記モーションモデルは、アファインモデルであり、且つ、前記デコーディングされるブロックの内側のそれぞれの位置（ｘ，ｙ）について前記モーションフィールドは、次式によって判定され、
【数１】
2020537394.tif 000001
ここで、（ｖ0x，ｖ0y）及び（ｖ2x，ｖ2y）は、前記モーションフィールドを生成するべく使用される前記制御ポイント動きベクトルであり、（ｖ0x，ｖ0y）は、前記デコーディングされるブロックの前記上部左コーナーの前記制御ポイント動きベクトルに対応しており、（ｖ2x，ｖ2y）は、前記デコーディングされるブロックの前記下部左コーナーの前記制御ポイント動きベクトルに対応しており、且つ、ｈは、前記デコーディングされるブロックの高さである請求項２に記載の方法。
【請求項１０】
前記インターコーディングモードは、マージモード又は高度動きベクトル予測モードのうちの１つである請求項２に記載の方法。
【請求項１１】
前記プレディクタ候補の組からの前記特定のプレディクタ候補用のインデックスがデコーディングされている請求項２に記載の方法。
【請求項１２】
請求項２に従ってビデオデータをデコーディングするための命令をその上部において保存された状態において有するコンピュータ可読ストレージ媒体。
【請求項１３】
少なくとも１つのメモリと、１つ又は複数のプロセッサと、を有するビデオエンコーディング用の装置であって、
ピクチャ内のエンコーディングされるブロックについて、少なくとも１つの空間的隣接ブロックを判定し、
前記エンコーディングされるブロックについて、前記少なくとも１つの空間的隣接ブロックに基づいてインターコーディングモード用のプレディクタ候補の組を判定し、プレディクタ候補は、１つ又は複数の制御ポイント動きベクトル及び１つの参照ピクチャを有し、
前記エンコーディングされるブロックについて、且つ、それぞれのプレディクタ候補ごとに、モーションモデルに基づいて、且つ、前記プレディクタ候補の前記１つ又は複数の制御ポイント動きベクトルに基づいて、モーションフィールドを判定し、前記モーションフィールドは、前記エンコーディングされるブロックのサブブロックの予測のために使用される動きベクトルを識別しており、
それぞれのプレディクタ候補ごとに判定された前記モーションフィールドに応答して、予測の間のレート歪判定に基づいて前記プレディクタ候補の組から１つのプレディクタ候補を選択し、
前記選択されたプレディクタ候補用の前記モーションフィールドに基づいて前記ブロックをエンコーディングする、
ように構成された装置。
【請求項１４】
少なくとも１つのメモリと、１つ又は複数のプロセッサと、を有するビデオデコーディング用の装置であって、
デコーディングされるブロックについて、少なくとも１つの空間的隣接ブロックを判定し、
前記デコーディングされるブロックについて、前記少なくとも１つの空間的隣接ブロックに基づいてインターコーディングモード用のプレディクタ候補の組を判定し、プレディクタ候補は、１つ又は複数の制御ポイント動きベクトル及び１つの参照ピクチャを有し、
前記デコーディングされるブロックについて、特定のプレディクタ候補から１つ又は複数の制御ポイント動きベクトルを判定し、
前記デコーディングされるブロックについて、モーションモデルに基づいて、且つ、前記デコーディングされるブロック用の前記１つ又は複数の制御ポイント動きベクトルに基づいて、モーションフィールドを判定し、前記モーションフィールドは、前記デコーディングされるブロックのサブブロックの予測のために使用される動きベクトルを識別しており、且つ、
前記判定されたモーションフィールドに基づいて前記ブロックをデコーディングする、
ように構成された装置。
【請求項１５】
前記少なくとも１つの空間的隣接ブロックは、隣接上部左コーナーブロック、隣接上部右コーナーブロック、及び隣接下部左コーナーブロックのうちの、前記デコーディングされるブロックの空間的な隣接ブロックを有する請求項１４に記載の装置。
【請求項１６】
前記空間的隣接ブロックの前記少なくとも１つに関連するモーション情報は、平行移動モーション情報を有する請求項１４に記載の装置。
【請求項１７】
前記少なくとも１つの空間的隣接ブロックのすべてに関連するモーション情報は、アファインモーション情報を有する請求項１４に記載の装置。
【請求項１８】
前記デコーディングされるブロックについて、インターコーディングモード用の前記プレディクタ候補の組を判定することは、
隣接上部左コーナーブロックのうちの前記デコーディングされるブロックの空間的な隣接ブロックの上部左リスト、隣接上部右コーナーブロックのうちの前記デコーディングされるブロックの空間的隣接ブロックの上部右リスト、隣接下部左コーナーブロックのうちの前記デコーディングされるブロックの空間的隣接ブロックの下部左リストを判定することと、
空間的隣接ブロックの少なくとも１つのトリプレットを選択することであって、前記トリプレットのそれぞれの空間的隣接ブロックは、それぞれ、前記上部左リスト、前記上部右リスト、前記下部左リストに属しており、且つ、前記トリプレットのそれぞれの空間的隣接ブロックの予測のために使用される前記参照ピクチャは、同一である、選択することと、
前記デコーディングされるブロックについて、空間的隣接ブロックのそれぞれの選択されたトリプレットに関連するモーション情報に基づいて、前記ブロックの上部左コーナー、上部右コーナー、及び下部左コーナー用の１つ又は複数の制御ポイント動きベクトルを判定することと、
を有し、且つ、
前記プレディクタ候補は、前記判定された１つ又は複数の制御ポイントベクトル及び前記参照ピクチャを有する請求項１４に記載の装置。
【請求項１９】
前記デコーディングされるブロックについて、インターコーディングモード用の前記プレディクタ候補の組を判定することは、
隣接上部左コーナーブロックのうちの前記デコーディングされるブロックの空間的隣接ブロックの上部左リスト、隣接上部右コーナーブロックのうちの前記デコーディングされるブロックの空間的隣接ブロックの上部右リストを判定することと、
空間的隣接ブロックの少なくとも１つのペアを選択することであって、前記ペアのそれぞれの空間的隣接ブロックは、それぞれ、前記上部左リスト及び前記上部右リストに属しており、且つ、前記ペアのそれぞれの空間的隣接ブロックの予測のために使用される前記参照ピクチャは、同一である、選択することと、
前記デコーティングされるブロックについて、前記上部左リストの空間的隣接ブロックに関連するモーション情報に基づいて前記ブロックの前記上部左コーナー用の制御ポイント動きベクトルを判定し、前記上部左リストの空間的隣接ブロックに関連するモーション情報に基づいて前記ブロックの上部左コーナー用の制御ポイント動きベクトルを判定することと、
を有し、且つ、
前記プレディクタ候補は、前記上部左及び上部右制御ポイント動きベクトル及び前記参照ピクチャを有する請求項１４に記載の装置。
【請求項２０】
下部左リストが前記上部右リストの代わりに使用されており、前記下部左リストは、隣接下部左コーナーブロックのうちの前記デコーディングされるブロックの空間的隣接ブロックを有し、且つ、下部左制御ポイント動きベクトルが判定されている請求項１９に記載の装置。
【請求項２１】
前記モーションモデルは、アファインモデルであり、且つ、前記デコーディングされるブロックの内側のそれぞれの位置（ｘ，ｙ）におけるモーションフィールドは、次式によって定義され、
【数２】
2020537394.tif 000002
この場合に、（ｖ0x，ｖ0y）及び（ｖ2x，ｖ2y）は、前記モーションフィールドを生成するべく使用される前記制御ポイント動きベクトルであり、（ｖ0x，ｖ0y）は、前記デコーディングされるブロックの前記上部左コーナーの前記制御ポイント動きベクトルに対応しており、（ｖ2x，ｖ2y）は、前記デコーディングされるブロックの前記下部左コーナーの前記制御ポイント動きベクトルに対応しており、且つ、ｈは、前記デコーディングされるブロックの高さである請求項１４に記載の装置。
【請求項２２】
前記インターコーディングモードは、マージモード及び高度動きベクトル予測モードの１つである請求項１４に記載の装置。
【手続補正２】
【補正対象書類名】明細書
【補正対象項目名】０１０９
【補正方法】変更
【補正の内容】
【０１０９】
[127]  当業者には明らかとなるように、実装形態は、例えば、保存又は送信されうる
情報を搬送するべくフォーマッティングされた様々な信号を生成することができる。情報は、例えば、方法を実行するための命令又は記述されている実装形態のうちの１つによって生成されたデータを含みうる。例えば、信号は、記述されている実施形態のビットストリームを搬送するべくフォーマッティングすることができる。このような信号は、例えば、（例えば、スペクトルの高周波数部分を使用した）電磁波として、或いは、ベースバンド信号として、フォーマッティングすることができる。フォーマッティングすることは、例えば、データストリームをエンコーディングすること及びエンコーディングされたデータストリームによって搬送波を変調することを含みうる。信号が搬送する情報は、例えば、アナログ又はデジタル情報であってよい。信号は、既知のように、様々な異なる有線又は無線リンク上において送信することができる。信号は、プロセッサ可読媒体上において保存することができる。
上記実施形態の一部又は全部は、以下の付記のようにも記載されうるが、以下には限られない。
［付記１］
ビデオエンコーディング用の方法であって、
ピクチャ内のエンコーディングされるブロックについて、少なくとも１つの空間的隣接ブロックを判定することと、
前記エンコーディングされるブロックについて、前記少なくとも１つの空間的隣接ブロックに基づいてインターコーディングモード用のプレディクタ候補の組を判定することであって、プレディクタ候補は、１つ又は複数の制御ポイント動きベクトル及び１つの参照ピクチャを有する、判定することと、
前記エンコーディングされるブロックについて、且つ、それぞれのプレディクタ候補ごとに、モーションモデルに基づいて、且つ、前記プレディクタ候補の前記１つ又は複数の制御ポイント動きベクトルに基づいて、モーションフィールドを判定することであって、前記モーションフィールドは、前記エンコーディングされるブロックのサブブロックの予測のために使用される動きベクトルを識別している、判定することと、
それぞれのプレディクタ候補について判定された前記モーションフィールドに応答して、予測の間のレート歪判定に基づいて、前記プレディクタ候補の組から１つのプレディクタ候補を選択することと、
前記選択されたプレディクタ候補用の前記モーションフィールドに基づいて前記ブロックをエンコーディングすることと、
を有する方法。
［付記２］
ビデオデコーディング用の方法であって、
デコーディングされるブロックについて、少なくとも１つの空間的隣接ブロックを判定することと、
前記デコーディングされるブロックについて、前記少なくとも１つの空間的隣接ブロックに基づいてインターコーディングモード用のプレディクタ候補の組を判定することであって、プレディクタ候補は、１つ又は複数の制御ポイント動きベクトル及び１つの参照ピクチャを有する、判定することと、
前記デコーディングされるブロックについて、特定のプレディクタ候補から１つ又は複数の制御ポイント動きベクトルを判定することと、
前記デコーディングされるブロックについて、モーションモデルに基づいて、且つ、前記デコーディングされるブロック用の前記１つ又は複数の制御ポイント動きベクトルに基づいて、モーションフィールドを判定することであって、前記モーションフィールドは、前記デコーディングされるブロックのサブブロックの予測のために使用される動きベクトルを識別している、判定することと、
前記判定されたモーションフィールドに基づいて前記ブロックをデコーディングすることと、
を有する方法。
［付記３］
ビデオエンコーディング用の装置であって、
ピクチャ内のエンコーディングされるブロックについて、少なくとも１つの空間的隣接ブロックを判定する手段と、
前記エンコーディングされるブロックについて、前記少なくとも１つの空間的隣接ブロックに基づいてインターコーディングモード用のプレディクタ候補の組を判定する手段であって、プレディクタ候補は、１つ又は複数の制御ポイント動きベクトル及び１つの参照ピクチャを有する、判定する手段と、
前記エンコーディングされるブロックについて、且つ、それぞれのプレディクタ候補ごとに、モーションモデルに基づいて、且つ、前記プレディクタ候補の前記１つ又は複数の制御ポイント動きベクトルに基づいて、モーションフィールドを判定する手段であって、前記モーションフィールドは、前記エンコーディングされるブロックのサブブロックの予
測のために使用される動きベクトルを識別している、判定する手段と、
それぞれのプレディクタ候補ごとに判定された前記モーションフィールドに応答して、予測の間のレート歪判定に基づいて、前記プレディクタ候補の組からプレディクタ候補を選択する手段と、
前記プレディクタ候補の組からの前記選択されたプレディクタ候補用の前記モーションフィールドに基づいて前記ブロックをエンコーディングする手段と、
を有する装置。
［付記４］
ビデオデコーディング用の装置であって、
デコーディングされるブロックについて、少なくとも１つの空間的隣接ブロックを判定する手段と、
前記デコーディングされるブロックについて、前記少なくとも１つの空間的隣接ブロックに基づいてインターコーディング用の前記プレディクタ候補の組を判定する手段であって、プレディクタ候補は、１つ又は複数の制御ポイント動きベクトル及び１つの参照ピクチャを有する、判定する手段と、
前記デコーディングされるブロックについて、特定のプレディクタ候補から１つ又は複数の制御ポイント動きベクトルを判定する手段と、
前記デコーディングされるブロックについて、モーションモデルに基づいて、且つ、前記デコーディングされるブロック用の前記１つ又は複数の制御ポイント動きベクトルに基づいて、モーションフィールドを判定する手段であって、前記モーションフィールドは、前記デコーディングされるブロックのサブブロックの予測のために使用される動きベクトルを識別している、判定する手段と、
前記判定されたモーションフィールドに基づいて前記ブロックをデコーディングする手段と、
を有する装置。
［付記５］
前記少なくとも１つの空間的隣接ブロックは、隣接上部左コーナーブロック、隣接上部右コーナーブロック、及び隣接下部左コーナーブロックのうちの、前記エンコーディング又はデコーディングされるブロックの空間的隣接ブロックを有する付記１又は２に記載の方法又は付記３又は４に記載の装置。
［付記６］
前記空間的隣接ブロックの前記少なくとも１つのものに関連するモーション情報は、平行移動モーション情報を有する付記１、２、又は５に記載の方法又は付記３、４、又は５に記載の装置。
［付記７］
前記少なくとも１つの空間的隣接ブロックのすべてに関連するモーション情報は、アファインモーション情報を有する付記１、２、又は５に記載の方法又は付記３、４、又は５に記載の装置。
［付記８］
前記エンコーディング又はデコーディングされるブロックについて、インターコーディングモード用の前記プレディクタ候補の組を判定することは、
隣接上部左コーナーブロックのうちの前記エンコーディング又はデコーディングされるブロックの空間的隣接ブロックの上部左リスト、隣接上部右コーナーブロックのうちの前記エンコーディング又はデコーディングされるブロックの空間的隣接ブロックの上部右リスト、隣接下部左コーナーブロックのうちの前記エンコーディング又はデコーディングされるブロックの空間的隣接ブロックの下部左リストを判定することと、
空間的隣接ブロックの少なくとも１つのトリプレットを選択することであって、前記トリプレットのそれぞれの空間的隣接ブロックは、それぞれ、前記上部左リスト、前記上部右リスト、及び前記下部左リスト、に属しており、且つ、前記トリプレットのそれぞれの空間的隣接ブロックの予測のために使用される前記参照ピクチャは、同一である、選択す
ることと、
前記エンコーディング及びデコーディングされるブロックについて、空間的隣接ブロックのそれぞれの選択されたトリプレットに関連するモーション情報に基づいて、前記ブロックの上部左コーナー、上部右コーナー、及び下部左コーナー用の１つ又は複数の制御ポイント動きベクトルを判定することと、
を有し、且つ、
前記プレディクタ候補は、前記判定された１つ又は複数の制御ポイント動きベクトル及び前記参照ピクチャを有する付記１、２、５、６、又は７のいずれか１に記載の方法。
［付記９］
前記エンコーディング又はデコーディングされるブロックについて、インターコーディングモード用の前記プレディクタ候補の組を判定することは、
前記エンコーディング又はデコーディングされるブロックについて判定された前記１つ又は複数の制御ポイント動きベクトルに基づいて１つ又は複数の基準に従って空間的隣接ブロックの前記少なくとも１つの選択されたトリプレットを評価すること、
を更に有し、且つ、
前記プレディクタ候補は、前記評価することに基づいてインターコーディングモード用の前記プレディクタ候補の組内においてソートされている付記８に記載の方法。
［付記１０］
前記エンコーディング又はデコーディングされるブロックについて、インターコーディングモード用の前記プレディクタ候補の組を判定することは、
隣接上部左コーナーブロックのうちの前記エンコーディング又はデコーディングされるブロックの空間的隣接ブロックの上部左リスト、隣接上部右コーナーブロックのうちの前記エンコーディング又はデコーディングされるブロックの空間的隣接ブロックのトップリストを判定することと、
空間的隣接ブロックの少なくとも１つのペアを選択することであって、前記ペアのそれぞれの空間的隣接ブロックは、それぞれ、前記上部左リスト及び前記上部右リストに属しており、且つ、前記ペアのそれぞれの空間的隣接ブロックの予測のために使用される前記参照ピクチャは、同一である、選択することと、
前記エンコーディング又はデコーディングされるブロックについて、前記上部左リストの空間的隣接ブロックに関連するモーション情報に基づいて前記ブロックの前記上部左コーナー用の制御ポイント動きベクトルを判定し、前記上部左リストの空間的隣接ブロックに関連するモーション情報に基づいて前記ブロックの前記上部左コーナー用の制御ポイント動きベクトルを判定することと、
を有し、且つ、
前記プレディクタ候補は、前記上部左及び上部右制御ポイント動きベクトル及び前記参照ピクチャを有する付記１、２、５、６、又は７のいずれか１に記載の方法。
［付記１１］
下部左リストが前記上部右リストの代わりに使用されており、前記下部左リストは、隣接下部左コーナーブロックのうちの前記エンコーディング又はデコーディングされるブロックの空間的な隣接ブロックを有し、且つ、下部左制御ポイント動きベクトルが判定されている付記１０に記載の方法。
［付記１２］
前記モーションモデルは、アファインモデルであり、且つ、前記エンコーディング又はデコーディングされるブロックの内側のそれぞれの位置（ｘ，ｙ）について前記モーションフィールドは、次式によって判定され、
【数１】
2020537394.tif 000003
ここで、（ｖ0x，ｖ0y）及び（ｖ2x，ｖ2y）は、前記モーションフィールドを生成するべく使用される前記制御ポイント動きベクトルであり、（ｖ0x，ｖ0y）は、前記エンコーディング又はデコーディングされるブロックの前記上部左コーナーの前記制御ポイント動きベクトルに対応しており、（ｖ2x，ｖ2y）は、前記エンコーディング又はデコーディングされるブロックの前記下部左コーナーの前記制御ポイント動きベクトルに対応しており、且つ、ｈは、前記エンコーディング又はデコーディングされるブロックの高さである付記１乃至１１のいずれか１に記載の方法又は装置。
［付記１３］
前記エンコーディング又はデコーディングされるブロックのために使用される前記モーションモデルの通知をエンコーディング又は取得することであって、前記モーションモデルは、前記上部左コーナーの制御ポイント動きベクトル及び前記下部左コーナーの前記制御ポイント動きベクトルに基づいており、或いは、前記モーションモデルは、前記上部左コーナーの制御ポイント動きベクトル及び前記上部右コーナーの前記制御ポイント動きベクトルに基づいている、エンコーディング又は取得すること、
を更に有する付記１、２、５乃至１２のいずれか１に記載の方法。
［付記１４］
前記エンコーディング又はデコーディングされるブロックに使用される前記モーションモデルは、黙示的に導出され、前記動きベクトルは、前記上部左コーナーの制御ポイント動きベクトル及び前記下部左コーナーの前記制御ポイント動きベクトルに基づいており、或いは、前記モーションモデルは、前記上部左コーナーの制御ポイント動きベクトル及び前記上部右コーナーの前記制御ポイント動きベクトルに基づいている付記１、２、５乃至１２のいずれか１に記載の方法。
［付記１５］
前記インターコーディングモードは、マージモード又は高度動きベクトル予測モードのうちの１つである付記１乃至１４のいずれか１に記載の方法又は装置。
［付記１６］
前記プレディクタ候補の組からの前記選択されたプレディクタ候補用のインデックスがエンコーディングされている付記１に記載の方法又は付記３に記載の装置。
［付記１７］
前記プレディクタ候補の組からの前記特定のプレディクタ候補用のインデックスがデコーディングされている付記２に記載の方法又は付記４に記載の装置。
［付記１８］
前記先行する記述のいずれかのものの方法又は装置に従って生成されたデータコンテンツを含む、一時的ではないコンピュータ可読媒体が提示されている。
［付記１９］
上述の方法のいずれかのものに従ってビデオデータをエンコーディング又はデコーディングするための命令をその上部において保存された状態において有するコンピュータ可読ストレージ媒体。